(57)【要約】      （修正有）【課題】簡単な構造であっても「物から手」へのウィルスや細菌等の感染を予防することができる、日常的に繰り返し使用するのに適した接触感染予防機能付き衣服を提供する。【解決手段】接触感染予防機能付き衣服１０は、ウィルス又は細菌による感染予防対策機能を備えた衣服であって、袖口の裏面側に手を収納する収納スペース２０を備え、袖口に折り返し線状部３０を備えており、折り返し線状部３０を中心として、線対称な位置に止め部材４０を備える。更なる形態として、袖口の裏面側に手を収納することができるカバー部材が、袖口の内側と外側に出し入れ自在に備えられており、カバー部材は、袖口の裏面側に収納する際、カバー部材を固定するための固定部材を備えている。【選択図】図１
0003228345.tif 000002
【実用新案登録請求の範囲】
【請求項１】
ウィルス又は細菌による感染予防対策機能を備えた衣服であって、
袖口の裏面側に手を収納する収納スペースを備え、
袖口に折り返し線状部を備えており、
前記折り返し線状部を中心として、線対称な位置に止め部材を備えることを特徴とする接触感染予防機能付き衣服。
【請求項２】
ウィルス又は細菌による感染予防対策機能を備えた衣服であって、
袖口の裏面側に手を収納することができるカバー部材が、袖口の内側と外側に出し入れ自在に備えられており、
前記カバー部材は、袖口の裏面側に収納する際、前記カバー部材を固定するための固定部材を備えていることを特徴とする接触感染予防機能付き衣服。
【考案の詳細な説明】
【技術分野】
【０００１】  本考案は、主に「物から手」へのウィルス又は細菌による接触感染を予防することができる接触感染予防機能付き衣服に関する。さらに言えば、接触感染予防機能付き衣服の袖口構造に関する。
【背景技術】
【０００２】  パンデミックとは、国や一部地域という境界を超えて世界的な規模で感染症が流行することを言う。パンデミックの最近の例として、新型コロナウィルス感染症（ＣＯＶＩＤ−１９）が挙げられる。新型コロナウィルス感染症の症状としては、高熱や咳、嗅覚や味覚の麻痺、肺炎等、重症例では呼吸不全が起こり、高齢者や基礎疾患がある人は重症化のリスクが高いとされている。新型コロナウィルス感染症は、飛沫感染または接触感染により感染し、飛沫感染の典型例として、換気が悪い密閉空間における小規模な感染者集団（クラスター）がコロナウィルス感染を拡大すると考えられている。【０００３】  一方で、接触感染に関してコロナウィルスが感染する経路について考察すると、コロナウィルス等を含んだ飛沫が、何らかの原因で物（ドアノブ、つり革、手摺り、自動販売機や券売機の押しボタン等）に付着し、それを触った人間の手に付着する。ウィルスが付着した手で目や口、鼻まわりを触ることで、ウィルスが顔周辺にも付着し、顔周辺に付着したウィルスを呼吸時に体内に吸い込んだり、口や鼻などの粘膜から体内に取り込んでしまうことにより、体内でウィルスを増殖させてしまうことになる。人間は、５分に１回程度、無意識に手で顔を触ってしまう（目を掻いたり、鼻や口を触ったりする）と言われている。要するに、ウィルスや細菌が人間の身体に侵入する経路として一番危ないのは手であると言われている。このような現状に鑑み、「物から手」へのコロナウィルスや細菌等の接触感染を予防する手段が希求されていた。【０００４】  特許文献１には、「手袋を袖に可動的結合し、服を着ると共に手袋のはめ脱ぎが完了できる袖の改良構造を提供すること」を課題として、「主に、衣服の袖口部に収納空間を設け、前記収納空間内に結合構造が設けられ、前記収納空間の端部に手袋が結合され、前記手袋の手の甲の対応部に対応の結合構造が設けられた。これによって、アームで袖に入れた後とともに、手袋にはめる動作も完成できた。手袋をはめない時に、手袋を折曲し袖口部の収納空間内に入れ置き、両結合構造の相互結合で、手袋を使用した後にも安定に収納でき、勝手放置や遺失することはないことを含む袖の改良構造を提供する」袖の改良構造（特許文献１：考案の名称）が開示されている（特許文献１：要約：解決手段）。
【先行技術文献】
【特許文献】
【０００５】
【特許文献１】実用新案登録第３１１２０２８号公報
【考案の概要】
【考案が解決しようとする課題】
【０００６】  特許文献１に係る考案は、衣服の袖に手袋を可動的に結合し、衣服を着る際に、同時に手袋の嵌め脱ぎが完了できる袖の改良構造を提供するものである。要するに、手袋を袖口の裏側に固定させて収納しておき、手袋を使用しようとする際、捜す必要が無い、便利な袖の改良構造を提供するものである。確かに、手袋を嵌めることにより「物から手」へのウィルスや細菌等の感染を予防する手段となると思われる。しかしながら、この考案をウィルス又は細菌による感染症対策グッズとして日常的に使用するためには、衣服とは別途手袋を準備する必要があり、しかも手袋の出し入れをする際、手間が掛かると考えられるため、不適当であると思われる。ウィルス又は細菌による感染症対策グッズとして日常的に繰り返し使用するためには、出来ればボタン留め程度の簡単な動作で感染症対策の準備を完了させるべきであると考えられるからである。【０００７】  本考案の目的は、簡単な構造であっても「物から手」へのウィルスや細菌等の感染を予防することができる、日常的に使用するのに適した接触感染予防機能付き衣服を提供することにある。
【課題を解決するための手段】
【０００８】  上記課題を解決するために、本願請求項１に記載した考案は、ウィルス又は細菌による感染予防対策機能を備えた衣服であって、袖口の裏面側に手を収納する収納スペースを備え、袖口に折り返し線状部を備えており、前記折り返し線状部を中心として、線対称な位置に止め部材を備えることを特徴とする接触感染予防機能付き衣服であることを特徴とするものである。なお、本明細書において「手」とは手首から指先までの部分のことである。日本では人体の左右の肩から出ている長い部分（要するに、腕）も「手」と呼ばれることがあるので、ここに明確に定義しておく。【０００９】  本願請求項２に記載した考案は、ウィルス又は細菌による感染予防対策機能を備えた衣服であって、袖口の裏面側に手を収納することができるカバー部材が、袖口の内側と外側に出し入れ自在に備えられており、前記カバー部材は、袖口の裏面側に収納する際、前記カバー部材を固定するための固定部材を備えていることを特徴とする接触感染予防機能付き衣服であることを特徴とするものである。
【考案の効果】
【００１０】  本考案によれば、袖口の裏面側に手を収納する収納スペースを備えており、衣服の袖口に折り返し線状部を備えており、折り返し線状部を中心として、線対称な位置に止め部材を備えている。袖口の裏面側に手を収納する収納スペースに手を収納した状態で物に触れるため、即ち、手が直接物に触れることが無いので、「物から手」へのウィルスや細菌等の感染を予防することができるようになった。さらに、別の態様として衣服の袖口に、手を収納することができる出し入れ自在のカバー部材を備えることにより、カバー部材に手を収納した状態で物に触れるため、即ち、手が直接物に触れることが無いので、「物から手」へのウィルスや細菌等の感染を予防することができるようになった。
【図面の簡単な説明】
【００１１】
【図１】接触感染予防機能付き衣服（請求項１）を説明するための図である。
【図２】接触感染予防機能付き衣服（請求項２）を説明するための図である。
【図３】他の実施例に係る袖口構造を説明するための図である。
【考案を実施するための形態】
【００１２】＜接触感染予防機能付き衣服の（袖口）構造＞
以下、本考案に係る接触感染予防機能付き衣服１０の袖口について、図１〜図３を参照しつつ詳細に説明する。図１は、本考案に係る接触感染予防機能付き衣服１０（請求項１）を説明するための図である。図１（ａ）は、手が（袖裏面に）収納されている状態を示した図、図１（ｂ）は、物に触れる際の着用状態を示した図、図１（ｃ）は、物に触れる必要の無い際の着用状態を示した図である。
【００１３】  接触感染予防機能付き衣服１０は、ウィルス又は細菌による感染予防対策機能を備えた衣服である。図１（ａ）に記載したように、袖口の裏面側に手を収納する収納スペース２０を備え、図１（ｂ）に記載したように、衣服の袖口に折り返し線状部３０を備えており、折り返し線状部３０を中心として、線対称な位置に止め部材４０を備えている。ここで、折り返し線状部３０は、衣服の袖口付近に折り返し線を加工等により施すことにより形成されるものである。止め部材４０は一対の雄雌の構造を有するボタンであっても良いし、面ファスナー等であっても良い。要するに、図１（ｃ）に記載した状態にすることができる機能を有しているのであれば何ら限定されることは無い。
【００１４】  衣服着用時において、不特定多数の者が触ったであろう物に触れる事が無いのであれば、図１（ｃ）のように、折り返し線状部３０を中心として、袖口部分を表側に折り返し、折り返し線状部３０を中心として、線対称な位置に備えている止め部材４０（一方が雄、他方が雌）により、袖口を衣服側に固定しておけば良い。不特定多数の者が触ったであろう物に触れる際は、図１（ｂ）のように、止め部材４０を外し、折り返し線状部３０を中心として、袖口部分を反転させるように折り返せば良い。この時、図１（ａ）に記載したように、手は袖裏面に設置した収納スペース２０に収納されている。
【００１５】  図２は、本考案に係る接触感染予防機能付き衣服１０（請求項２）を説明するための図である。図２（ａ）は、手が（袖裏面に）収納されている状態を示した図、図２（ｂ）は、物に触れる際の着用状態を示した図、図２（ｃ）は、物に触れる必要の無い際の着用状態を示した図である。
【００１６】  接触感染予防機能付き衣服１０の更なる形態は、衣服の袖口に、出し入れ自在に掌を収納することができるカバー部材５０を備えており、カバー部材５０は、衣服の袖口裏側に収納するための固定部材６０を備えている（衣服側にもカバー部材５０側に取り付けられた固定部材６０に対応する固定部材６０が備えられている（図２（ａ）参照））。ここでカバー部材５０の形状は、いわゆるミトンタイプの手袋のような形状であっても良いし、これ以外の形状であっても手を包み隠すことが出来るのであれば、いかなる形状であっても良い。
【００１７】  衣服着用時において、不特定多数の者が触ったであろう物に触れる事が無いのであれば、図２（ｃ）のように、カバー部材５０は、衣服の袖口裏側に収納しておけば良い。不特定多数の者が触ったであろう物に触れる際は、図２（ｂ）のように、固定部材６０を外し、カバー部材５０を外に取り出せば良い。この時、図２（ａ）に記載したように、手は袖裏面に設置したカバー部材５０の中に収納することができる。なお、他の実施例として、固定部材６０を設置する代わりに、図３に記載したように、衣服の袖口裏側に、感染対策が必要で無い状況の際にカバー部材５０を収納するための収納ポケットを設置しても良い。また、カバー部材５０を固定する固定部材６０を設置すると共に、衣服の袖口裏側にカバー部材５０を収納するための収納ポケットを設置しても良い（図３参照）。なお、収納ポケットにカバー部材５０を収納する際は、カバー部材５０が袖口から不用意に飛び出てしまわない様、折り返して収納できる形態であることが望ましい。
【００１８】  ＜接触感染予防機能付き衣服の効果＞
コロナウィルスが感染する経路について考察すると、コロナウィルス等を含んだ飛沫が、何らかの原因で物（ドアノブ、つり革、手摺り、自動販売機や券売機の押しボタン等）に付着し、それを触った人の手に付着することが、感染原因、及び感染爆発のキッカケとなることが、多くの感染例に見られることが判明している。即ち、飛沫が「物」（ドアノブ、つり革、手摺り、自動販売機や券売機の押しボタン等）に付着して、さらにそれを触った人の手に付着し、ウィルスが付着した手で目や口、鼻まわりを触ることで、ウィルスが顔まわりに移動し、それを体内に吸い込んだり、粘膜から体内に取り込んでしまうことが感染原因、及び感染爆発のかなりの多くの割合を占めている。
【００１９】  「手で顔を触れたとしても、口を直接触れたのでは無いから大丈夫なのでは」と思われがちだが、しかしながら人間は肺呼吸する生き物である。即ち、人間は口と鼻からたくさんの空気（微粒子）を吸い込んでいる。ウィルスや細菌は非常に小さい（ナノオーダー）存在であるので、口や鼻付近に付着していると、呼吸で人体内に簡単に吸い込まれることになる。また、口や鼻の粘膜から体内に取り込まれる。このような事実があるので、ＷＨＯや厚生労働省は、繰り返し「手洗い」を励行している訳である。この様にウィルスや細菌による感染予防においては、ウィルスや細菌を直接手に触れさせないことが重要である所以である。
【００２０】  接触感染予防機能付き衣服１０は、袖口の裏面側に手を収納する収納スペースに手を収納した状態で物に触れるため、即ち、手が直接物に触れることが無いので、「物から手」へのウィルスや細菌等の感染を予防することができるようになった。さらに、別の態様として衣服の袖口に、手を収納することができる出し入れ自在のカバー部材を備えることにより、カバー部材に手を収納した状態で物に触れるため、即ち、手が直接物に触れることが無いので、「物から手」へのウィルスや細菌等の感染を予防することができるようになった。さらに、接触感染予防機能付き衣服１０は、薄い素材で形成されており、コンパクトに折り畳むことで、気軽に持ち運ぶことも可能であり、外出先などにおいて急に感染対策が必要な場面に遭遇しても、鞄等から取り出して素早く対応することが出来る。
【００２１】＜接触感染予防機能付き衣服の変更例＞
本考案に係る接触感染予防機能付き衣服は、上記実施形態の態様に何ら限定されるものではなく、折り返し線状部、止め部材、カバー部材、固定部材等の構成を、本考案の趣旨を逸脱しない範囲で、必要に応じて適宜変更することができる。
【産業上の利用可能性】
【００２２】  本考案に係る接触感染予防機能付き衣服は、上記の如く優れた効果を奏するものであるので、接触感染予防に関する分野等で好適に用いることができる。
【符号の説明】
【００２３】１０・・接触感染予防機能付き衣服
２０・・収納スペース
３０・・折り返し線状部
４０・・止め部材
５０・・カバー部材
６０・・固定部材
【図１】
0003228345.tif 000003
【図２】
0003228345.tif 000004
【図３】
0003228345.tif 000005